(57)【要約】【課題】複数の通信方式を選択可能なエリアにおいて、利用者が簡単な操作で待ち受けモードや発呼時通話モードを所望の無線通信方式に切り替えられるようにする。【解決手段】利用者が待ち受けモード切替操作部１０５を操作することにより、待ち受けモードをＷＣＤＭＡ方式とＧＳＭ方式いずれにするかの指示が制御部１０３に入力される。制御部１０３は、操作指示された無線通信方式で待ち受けられるように待ち受けモードの切替制御を行い、ＷＣＤＭＡ方式に対応する第１無線部１０１またはＧＳＭ方式に対応する第２無線部１０２のいずれか一方を動作させる。またこのとき、待ち受けモード通知部１０４によって選択された待ち受けモードを利用者に通知する。【選択図】  図１
2004289421.tif 000002
【特許請求の範囲】
【請求項１】
２種類以上の無線通信方式で信号の通信を行う通信手段を有し、いずれか一つの無線通信方式で信号の受信を待ち受けるマルチモード無線通信装置であって、
前記２種類以上の無線通信方式のいずれで待ち受けるかを切り替えるための待ち受けモード切替操作手段と、
前記待ち受けモード切替操作手段の操作により指定された無線通信方式で信号の受信を待ち受けるように前記通信手段を制御する通信制御手段と、
を備えたマルチモード無線通信装置。
【請求項２】
前記待ち受けモード切替操作手段は、当該装置の筐体部に設けられた少なくとも１個以上の専用のキーにより構成される請求項１に記載のマルチモード無線通信装置。
【請求項３】
前記待ち受けモード切替操作手段は、当該装置の筐体部に設けられた、前記無線通信方式の切替操作機能と当該装置における他の操作機能とを兼用にしたキーであり、前記他の操作機能と異なる操作によって前記待ち受けモードの切替操作指示を行うものである請求項１に記載のマルチモード無線通信装置。
【請求項４】
前記待ち受けモード切替操作手段は、当該装置の筐体部に設けられた、前記無線通信方式の切替操作機能と当該装置における他の操作機能とを兼用にしたキーであり、複数個のキーの操作によって前記待ち受けモードの切替操作指示を行うものである請求項１に記載のマルチモード無線通信装置。
【請求項５】
前記待ち受けモード切替操作手段は、当該装置の筐体部に設けられた、前記無線通信方式の切替操作機能と当該装置における他の操作機能とを兼用にした複数のキーにより構成され、これらのキーの前記他の操作機能と異なる操作によって前記待ち受けモードの切替操作指示を行うものである請求項１に記載のマルチモード無線通信装置。
【請求項６】
前記待ち受けモード切替操作手段は、前記無線通信方式の切替制御に関する指示のための音声を入力する音声入力手段である請求項１に記載のマルチモード無線通信装置。
【請求項７】
前記待ち受けモード切替操作手段は、当該装置の２分割された筐体を回動可能に連結するヒンジ機構により構成され、前記ヒンジ機構の回動に伴う前記２つの筐体の開閉角度の違いにより異なる無線通信方式を指定するものである請求項１に記載のマルチモード無線通信装置。
【請求項８】
前記待ち受けモード切替操作手段は、当該装置の筐体部に設けられたアンテナの伸縮機構により構成され、前記アンテナの伸縮状態の違いにより異なる無線通信方式を指定するものである請求項１に記載のマルチモード無線通信装置。
【請求項９】
前記兼用にしたキーを通信開始キーとし、使用者が通信先の電話番号を入力した後、前記通信開始キーを待ち受けモード切り替えのための操作方法で操作した場合に、前記通信制御手段は待ち受けモードの切り替えと発呼を一括して行うこととした請求項３に記載のマルチモード無線通信装置。
【請求項１０】
前記兼用にしたキーを通信開始キーとし、使用者が通信先の電話番号を入力した後、前記通信開始キーと待ち受けモード切り替えのためのもう一つのキーとを同時に操作した場合に、前記通信制御手段は待ち受けモードの切り替えと発呼を一括して行うこととした請求項４に記載のマルチモード無線通信装置。
【請求項１１】
前記音声入力手段により通信先の電話番号を音声入力した後、待ち受けモードの切り替えコマンドを音声入力した場合に、前記通信制御手段は待ち受けモードの切り替えと発呼を一括して行うこととした請求項６に記載のマルチモード無線通信装置。
【請求項１２】
２種類以上の無線通信方式で信号の通信を行う通信手段を有し、いずれか一つの無線通信方式で発呼するマルチモード無線通信装置であって、
前記２種類以上の無線通信方式のいずれで発呼するかを切り替えるための発呼モード切替操作手段と、
前記発呼モード切替操作手段の操作により指定された無線通信方式で信号を発呼するように前記通信手段を制御する通信制御手段と、
を備えたマルチモード無線通信装置。
【請求項１３】
前記発呼する際の無線通信方式を予め設定する設定手段を設け、前記通信制御手段は、前記設定手段に設定された無線通信方式で信号を発呼するように前記通信手段を制御するものである請求項１２に記載のマルチモード無線通信装置。
【請求項１４】
前記発呼モード切替操作手段は、当該装置の筐体部に設けられた少なくとも１個以上の専用のキーにより構成される請求項１２又は１３に記載のマルチモード無線通信装置。
【請求項１５】
前記発呼モード切替操作手段は、当該装置の筐体部に設けられた、前記無線通信方式の切替操作機能と当該装置における他の操作機能とを兼用にしたキーであり、前記他の操作機能と異なる操作によって前記発呼モードの切替操作指示を行うものである請求項１２又は１３に記載のマルチモード無線通信装置。
【請求項１６】
前記発呼モード切替操作手段は、当該装置の筐体部に設けられた、前記無線通信方式の切替操作機能と当該装置における他の操作機能とを兼用にしたキーであり、複数個のキーの操作によって前記発呼モードの切替操作指示を行うものである請求項１２又は１３に記載のマルチモード無線通信装置。
【請求項１７】
前記発呼モード切替操作手段は、当該装置の筐体部に設けられた、前記無線通信方式の切替操作機能と当該装置における他の操作機能とを兼用にした複数のキーにより構成され、これらのキーの前記他の操作機能と異なる操作によって前記発呼モードの切替操作指示を行うものである請求項１２又は１３に記載のマルチモード無線通信装置。
【請求項１８】
前記発呼モード切替操作手段は、前記無線通信方式の切替制御に関する指示のための音声を入力する音声入力手段である請求項１２又は１３に記載のマルチモード無線通信装置。
【請求項１９】
前記発呼モード切替操作手段は、当該装置の２分割された筐体を回動可能に連結するヒンジ機構により構成され、前記ヒンジ機構の回動に伴う前記２つの筐体の開閉角度の違いにより異なる無線通信方式を指定するものである請求項１２又は１３に記載のマルチモード無線通信装置。
【請求項２０】
前記発呼モード切替操作手段は、当該装置の筐体部に設けられたアンテナの伸縮機構により構成され、前記アンテナの伸縮状態の違いにより異なる無線通信方式を指定するものである請求項１２又は１３に記載のマルチモード無線通信装置。
【発明の詳細な説明】
【０００１】
【発明の属する技術分野】
本発明は、例えばＷＣＤＭＡ方式とＧＳＭ方式などの２つ以上の無線通信方式に対応するマルチモード無線通信装置に関する。
【０００２】
【従来の技術】
従来より、２つ以上の無線通信方式に対応するマルチモード無線通信装置が種々提案され、用いられている。例えば、ＰＤＣ（Ｐｅｒｓｏｎａｌ  Ｄｉｇｉｔａｌ  Ｃｅｌｌｕｌａｒ）方式とＰＨＳ（Ｐｅｒｓｏｎａｌ  Ｈａｎｄｙ−ｐｈｏｎｅ  Ｓｙｓｔｅｍ、登録商標）方式の２つの無線通信方式に対応可能なＰＤＣ・ＰＨＳ一体型移動体通信端末では、発呼するモードを選択するための専用のキーを設け、この専用キーの操作によりＰＤＣ方式の発呼モードとＰＨＳ方式の発呼モードとを選択する構成となっている。これにより、１つの端末でＰＤＣ・ＰＨＳ両方式の携帯電話機として兼用することができる（例えば、特許文献１参照）。
【０００３】
【特許文献１】
特開２０００−２０１３８１号公報  （第２−３頁、図１）
【０００４】
【発明が解決しようとする課題】
複数の無線通信システムを利用可能なマルチモード無線通信装置においては、一般に各モード間で課金システムや待ち受け時間や通話時間、通話品質などの特性が異なる。このため、利用者の使い勝手をより良いものにするためには、利用者が状況に応じて待ち受けモードや発呼時通話モードを自由に選択できるのが望ましい。
【０００５】
例えば、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式とＧＳＭ（Ｇｌｏｂａｌ  Ｓｙｓｔｅｍｓ  ｆｏｒ  Ｍｏｂｉｌｅ  Ｃｏｍｍｕｎｉｃａｔｉｏｎｓ）方式の２つの無線通信方式に対応するマルチモード無線通信装置では、いくつかの規格が存在する（ｔｙｐｅ１〜ｔｙｐｅ４）。これらの規格の中には、上記従来例のマルチモード無線通信装置として挙げたＰＤＣ・ＰＨＳ一体型移動体通信端末と異なり、２つ以上の無線通信方式で同時に待ち受けることができないタイプのマルチモード無線通信装置が存在する（ｔｙｐｅ１，２）。
【０００６】
このようなＷＣＤＭＡ・ＧＳＭ両方式に対応するマルチモード無線通信装置において、複数の無線通信方式で同時待ち受けできないｔｙｐｅ２以下のマルチモード無線通信装置では、上記従来例のように両方の無線通信方式の待ち受けモードで待ち受けている状態から単純に発呼モードを選択して発呼することができない。このため、現在待ち受けているモードと異なるモードで発呼するためには、待ち受けモードを所望の無線通信方式に切り替えた後に発呼する必要がある。
【０００７】
マルチモード無線通信装置の普及を図るためには、これらの待ち受けモードや発呼モードの切り替え操作を十分にわかりやすく、使いやすいものにし、利用者の使い勝手の向上を図る必要がある。
【０００８】
本発明は、上記課題を解決するためになされたもので、その目的は、複数の通信方式を選択可能なエリアにおいて、利用者の簡単な操作により待ち受けモード若しくは発呼時通話モードを所望の通信モードに切り替えることが可能なマルチモード無線通信装置を提供することにある。
【０００９】
【課題を解決するための手段】
本発明に係るマルチモード無線通信装置は、２種類以上の無線通信方式で信号の通信を行う通信手段を有し、いずれか一つの無線通信方式で信号の受信を待ち受けるマルチモード無線通信装置であって、前記２種類以上の無線通信方式のいずれで待ち受けるかを切り替えるための待ち受けモード切替操作手段と、前記待ち受けモード切替操作手段の操作により指定された無線通信方式で信号の受信を待ち受けるように前記通信手段を制御する通信制御手段と、を備えたものである。
【００１０】
上記構成では、利用者が待ち受けモード切替操作手段により待ち受けを行う無線通信方式を指定すると、通信制御手段は指定された無線通信方式で信号の受信を待ち受けるように通信手段を制御して切り替える。これにより、複数の無線通信方式を選択可能なエリアにおいて、利用者の簡単な操作で待ち受けモードを所望の無線通信方式に切り替えることができ、装置の使い勝手を向上させることができる。
【００１１】
また、前記待ち受けモード切替操作手段は、当該装置の筐体部に設けられた少なくとも１個以上の専用のキーにより構成されるものとする。
【００１２】
上記構成では、利用者は待ち受けモードを切り替えるための専用のキーが１個である場合は、無線通信方式によって異なる操作の仕方により、待ち受けする無線通信方式を通信制御手段に指定する。専用のキーが複数ある場合は、各無線通信方式に対応する専用キーを操作して待ち受けする無線通信方式を通信制御手段に指定する。これにより、複数の無線通信方式を選択可能なエリアにおいて、利用者の簡単な操作で待ち受けモードを所望の無線通信方式に切り替えることができ、装置の使い勝手を向上させることができる。
【００１３】
また、前記待ち受けモード切替操作手段は、当該装置の筐体部に設けられた、前記無線通信方式の切替操作機能と当該装置における他の操作機能とを兼用にしたキーであり、前記他の操作機能と異なる操作によって前記待ち受けモードの切替操作指示を行うものとする。
【００１４】
上記構成では、兼用のキーを従来通りの所定の操作をすれば既存の他の機能の操作指示が入力され、これとは異なる操作をした場合に、待ち受けモード切り替え指示が通信制御手段に入力される。この場合、待ち受けモード切替操作手段として他の操作機能と兼用のキーを用いるため、キーの数を増やすことなく、利用者の簡単な操作で待ち受けモードを所望の無線通信方式に切り替えることができる。
【００１５】
また、前記待ち受けモード切替操作手段は、当該装置の筐体部に設けられた、前記無線通信方式の切替操作機能と当該装置における他の操作機能とを兼用にしたキーであり、複数個のキーの操作によって前記待ち受けモードの切替操作指示を行うものとする。
【００１６】
上記構成では、兼用のキーを従来通りの所定の操作をすれば既存の他の機能の操作指示が入力され、２個以上のキーを同時に操作することにより、待ち受けモード切り替え指示が通信制御手段に入力される。この場合、待ち受けモード切替操作手段として他の操作機能と兼用のキーを用いるため、キーの数を増やすことなく、利用者の簡単な操作で待ち受けモードを所望の無線通信方式に切り替えることができる。
【００１７】
また、前記待ち受けモード切替操作手段は、当該装置の筐体部に設けられた、前記無線通信方式の切替操作機能と当該装置における他の操作機能とを兼用にした複数のキーにより構成され、これらのキーの前記他の操作機能と異なる操作によって前記待ち受けモードの切替操作指示を行うものとする。
【００１８】
上記構成では、兼用のキーそれぞれにおいて従来通りの所定の操作をすれば既存の他の機能の操作指示が入力され、これとは異なる操作をした場合に、そのキーに設定されている無線通信方式への切り替え指示が通信制御手段に入力される。この場合、待ち受けモード切替操作手段として他の操作機能と兼用のキーを用いるため、キーの数を増やすことなく、利用者の簡単な操作で待ち受けモードを所望の無線通信方式に切り替えることができる。
【００１９】
また、前記待ち受けモード切替操作手段は、前記無線通信方式の切替制御に関する指示のための音声を入力する音声入力手段であるものとする。
【００２０】
上記構成では、音声入力手段は無線通信方式に対応する切替指示として音声コマンドを入力し、入力した音声コマンドを対応する無線通信方式の待ち受けモードに切り替えるための指令信号に変換して通信制御手段に入力する。この場合、音声入力によって待ち受けモードの切り替えを指示し、利用者の手動操作無しで、容易に待ち受けモードを所望の無線通信方式に切り替えることができる。
【００２１】
また、前記待ち受けモード切替操作手段は、当該装置の２分割された筐体を回動可能に連結するヒンジ機構により構成され、前記ヒンジ機構の回動に伴う前記２つの筐体の開閉角度の違いにより異なる無線通信方式を指定するものとする。
【００２２】
上記構成では、利用者がいわゆる２つ折りタイプの筐体の開閉角度の大きさを変えることにより、前記開閉角度の大きさに対応する無線通信方式に待ち受けモードを切り替える指令が通信制御手段に入力される。この場合、筐体の開閉によって待ち受けモードの切り替えを指示し、容易に待ち受けモードを所望の無線通信方式に切り替えることができる。
【００２３】
また、前記待ち受けモード切替操作手段は、当該装置の筐体部に設けられたアンテナの伸縮機構により構成され、前記アンテナの伸縮状態の違いにより異なる無線通信方式を指定するものとする。
【００２４】
上記構成では、利用者がアンテナの伸縮させて伸縮状態を変更することにより、前記伸縮状態の大きさに対応する無線通信方式に待ち受けモードを切り替える指令が通信制御手段に入力される。この場合、アンテナの伸縮によって待ち受けモードの切り替えを指示し、容易に待ち受けモードを所望の無線通信方式に切り替えることができる。
【００２５】
また、前記兼用にしたキーを通信開始キーとし、使用者が通信先の電話番号を入力した後、前記通信開始キーを待ち受けモード切り替えのための操作方法で操作した場合に、前記通信制御手段は待ち受けモードの切り替えと発呼を一括して行うこととする。
【００２６】
上記構成では、利用者が通信先の電話番号を入力した後、前記通信開始キーを待ち受けモード切り替えのための操作方法で操作すると、待ち受けモードの切り替えと発呼が一括して行われる。これにより、容易に待ち受けモードの切り替えと発呼を一括して行うことができる。
【００２７】
また、前記兼用にしたキーを通信開始キーとし、使用者が通信先の電話番号を入力した後、前記通信開始キーと待ち受けモード切り替えのためのもう一つのキーとを同時に操作した場合に、前記通信制御手段は待ち受けモードの切り替えと発呼を一括して行うこととする。
【００２８】
上記構成では、利用者が通信先の電話番号を入力した後、前記通信開始キーと待ち受けモード切り替えのためのもう一つのキーを同時に操作すると、待ち受けモードの切り替えと発呼が一括して行われる。これにより、容易に待ち受けモードの切り替えと発呼を一括して行うことができる。
【００２９】
また、前記音声入力手段により通信先の電話番号を音声入力した後、待ち受けモードの切り替えコマンドを音声入力した場合に、前記通信制御手段は待ち受けモードの切り替えと発呼を一括して行うこととする。
【００３０】
上記構成では、利用者が通信先の電話番号を音声入力した後、待ち受けモードの切り替えコマンドを音声入力すると、待ち受けモードの切り替えと発呼が一括して行われる。これにより、容易に待ち受けモードの切り替えと発呼を一括して行うことができる。
【００３１】
本発明に係るマルチモード無線通信装置は、２種類以上の無線通信方式で信号の通信を行う通信手段を有し、いずれか一つの無線通信方式で発呼するマルチモード無線通信装置であって、前記２種類以上の無線通信方式のいずれで発呼するかを切り替えるための発呼モード切替操作手段と、前記発呼モード切替操作手段の操作により指定された無線通信方式で信号を発呼するように前記通信手段を制御する通信制御手段と、を備えたものである。
【００３２】
上記構成では、利用者が発呼モード切替操作手段により発呼の際の無線通信方式を指定すると、通信制御手段は指定された無線通信方式で信号を発呼するように通信手段を制御して切り替える。これにより、複数の無線通信方式を選択可能なエリアにおいて、利用者の簡単な操作で発呼モードを所望の無線通信方式に切り替えることができ、装置の使い勝手を向上させることができる。
【００３３】
また、前記発呼する際の無線通信方式を予め設定する設定手段を設け、前記通信制御手段は、前記設定手段に設定された無線通信方式で信号を発呼するように前記通信手段を制御するものとする。
【００３４】
上記構成では、設定手段において予め利用者の操作等により発呼する際の無線通信方式が設定され、通信制御手段は、この設定に基づいて対応する無線通信方式で発呼する。この場合、予め発呼時の無線通信方式を設定しておくことで、常に発呼モードを設定された無線通信方式で行うことができる。
【００３５】
また、前記発呼モード切替操作手段は、当該装置の筐体部に設けられた少なくとも１個以上の専用のキーにより構成されるものとする。
【００３６】
上記構成では、利用者は発呼モードを切り替えるための専用のキーが１個である場合は、無線通信方式によって異なる操作の仕方により、発呼する際の無線通信方式を通信制御手段に指定する。専用のキーが複数ある場合は、各無線通信方式に対応する専用キーを操作して発呼する無線通信方式を通信制御手段に指定する。これにより、複数の無線通信方式を選択可能なエリアにおいて、利用者の簡単な操作で発呼モードを所望の無線通信方式に切り替えることができ、装置の使い勝手を向上させることができる。
【００３７】
また、前記発呼モード切替操作手段は、当該装置の筐体部に設けられた、前記無線通信方式の切替操作機能と当該装置における他の操作機能とを兼用にしたキーであり、前記他の操作機能と異なる操作によって前記発呼モードの切替操作指示を行うものとする。
【００３８】
上記構成では、兼用のキーを従来通りの所定の操作をすれば既存の他の機能の操作指示が入力され、これとは異なる操作をした場合に、発呼モード切り替え指示が通信制御手段に入力される。この場合、発呼モード切替操作手段として他の操作機能と兼用のキーを用いるため、キーの数を増やすことなく、利用者の簡単な操作で発呼モードを所望の無線通信方式に切り替えることができる。
【００３９】
また、前記発呼モード切替操作手段は、当該装置の筐体部に設けられた、前記無線通信方式の切替操作機能と当該装置における他の操作機能とを兼用にしたキーであり、複数個のキーの操作によって前記発呼モードの切替操作指示を行うものとする。
【００４０】
上記構成では、兼用のキーを従来通りの所定の操作をすれば既存の他の機能の操作指示が入力され、２個以上のキーを同時に操作することにより、発呼モード切り替え指示が入力される。この場合、発呼モード切替操作手段として他の操作機能と兼用のキーを用いるため、キーの数を増やすことなく、利用者の簡単な操作で発呼モードを所望の無線通信方式に切り替えることができる。
【００４１】
また、前記発呼モード切替操作手段は、当該装置の筐体部に設けられた、前記無線通信方式の切替操作機能と当該装置における他の操作機能とを兼用にした複数のキーにより構成され、これらのキーの前記他の操作機能と異なる操作によって前記発呼モードの切替操作指示を行うものとする。
【００４２】
上記構成では、兼用のキーそれぞれにおいて従来通りの所定の操作をすれば既存の他の機能の操作指示が入力され、これとは異なる操作をした場合に、そのキーに設定されている無線通信方式への切り替え指示が通信制御手段に入力される。この場合、発呼モード切替操作手段として他の操作機能と兼用のキーを用いるため、キーの数を増やすことなく、利用者の簡単な操作で発呼モードを所望の無線通信方式に切り替えることができる。
【００４３】
また、前記発呼モード切替操作手段は、前記無線通信方式の切替制御に関する指示のための音声を入力する音声入力手段であるものとする。
【００４４】
上記構成では、音声入力手段は無線通信方式に対応する切替指示として音声コマンドを入力し、入力した音声コマンドを対応する無線通信方式の発呼モードに切り替えるための指令信号に変換して通信制御手段に入力する。この場合、音声入力によって発呼モードの切り替えを指示し、利用者の手動操作無しで、容易に発呼モードを所望の無線通信方式に切り替えることができる。
【００４５】
また、前記発呼モード切替操作手段は、当該装置の２分割された筐体を回動可能に連結するヒンジ機構により構成され、前記ヒンジ機構の回動に伴う前記２つの筐体の開閉角度の違いにより異なる無線通信方式を指定するものとする。
【００４６】
上記構成では、利用者がいわゆる２つ折りタイプの筐体の開閉角度の大きさを変えることにより、前記開閉角度の大きさに対応する無線通信方式に発呼モードを切り替える指令が通信制御手段に入力される。この場合、筐体の開閉によって発呼モードの切り替えを指示し、容易に発呼モードを所望の無線通信方式に切り替えることができる。
【００４７】
また、前記発呼モード切替操作手段は、当該装置の筐体部に設けられたアンテナの伸縮機構により構成され、前記アンテナの伸縮状態の違いにより異なる無線通信方式を指定するものとする。
【００４８】
上記構成では、利用者がアンテナの伸縮させて伸縮状態を変更することにより、前記伸縮状態の大きさに対応する無線通信方式に発呼モードを切り替える指令が通信制御手段に入力される。この場合、アンテナの伸縮によって発呼モードの切り替えを指示し、容易に発呼モードを所望の無線通信方式に切り替えることができる。
【００４９】
【発明の実施の形態】
以下、図面を参照して本発明の実施形態を説明する。
（第１実施形態）
図１は、本発明の第１実施形態に係るマルチモード無線通信装置の回路構成を示したブロック図である。
【００５０】
マルチモード無線通信装置１０は、ＷＣＤＭＡ方式に対応する第１無線部１０１と、ＧＳＭ方式に対応する第２無線部１０２と、待ち受けモードを通知する待ち受けモード通知部１０４と、使用者による待ち受けモードの切替操作入力を行う待ち受けモード切替操作部１０５と、待ち受けモード切替操作部１０５の操作情報によって第１無線部１０１と第２無線部１０２を制御して待ち受けモードを切り替え、またこの待ち受けモードの切り替えに応じて待ち受けモード通知部１０４を制御する制御部１０３とを有して構成される。ここで、第１無線部１０１及び第２無線部１０２は特許請求の範囲に記載の通信手段に相当し、待ち受けモード切替操作部１０５は特許請求の範囲に記載の待ち受けモード切替操作手段に相当する。また、制御部１０３は特許請求の範囲に記載の通信制御手段に相当する。
【００５１】
なお、制御部１０３はＣＰＵまたはＤＳＰ、記憶素子などからなり、その基本動作はソフトウェアで変更可能なように構成されている。また、以降、ＷＣＤＭＡ方式とＧＳＭ方式の２種類の無線通信方式に対応するマルチモード無線通信装置について説明するが、複数の無線通信方式に対応するものであれば良く、ＷＣＤＭＡ方式とＧＳＭ方式に限らない。また、３つ以上の無線部があっても良い。更に、待ち受けモード通知部１０４は、液晶などの表示デバイスで構成されても良いし、振動や音で通知する構成としても良い。また、表示デバイスやＬＥＤや振動や音などの複数の手段を用いて通知する構成としても良い。
【００５２】
次に、上記のように構成された第１実施形態のマルチモード無線通信装置の動作について説明する。マルチモード無線通信装置１０がＷＣＤＭＡ方式で待ち受けている状態で、利用者が待ち受けモード切替操作部１０５からＧＳＭ方式への切り替え操作を行うと、制御部１０３はその操作内容が切り替え操作であると判断する。そして、制御部１０３は第２無線部１０２からの情報に基づき、現在の位置でＧＳＭ方式のネットワークが利用可能かどうかを判断する。
【００５３】
ここで、利用可能である場合には、第１無線部１０１と第２無線部１０２を制御して、当該マルチモード無線通信装置の端末の位置登録先ネットワークをＷＣＤＭＡ方式のネットワークからＧＳＭ方式のネットワークに切り替えて、待ち受けモードを切り替える。一方、サービス圏外であるなどの理由によりＧＳＭ方式のネットワークが利用不可能な場合、制御部１０３はその旨を待ち受けモード通知部１０４を介して利用者に通知すると共に、ＷＣＤＭＡ方式のネットワークへの位置登録状態を継続する。
【００５４】
また、ＧＳＭ方式で待ち受けている状態で、利用者が待ち受けモード切替操作部１０５からＷＣＤＭＡ方式への切り替え操作を行うと、制御部１０３はその操作内容が切り替え操作であると判断し、第１無線部１０１からの情報に基づき、現在の位置でＷＣＤＭＡ方式のネットワークが利用可能かどうかを判断する。
【００５５】
ここで、利用可能である場合には、第１無線部１０１と第２無線部１０２を制御して、当該マルチモード無線通信装置の端末の位置登録先ネットワークをＧＳＭ方式のネットワークからＷＣＤＭＡ方式のネットワークに切り替えて、待ち受けモードの切り替えを行う。一方、サービス圏外であるなどの理由によりＷＣＤＭＡ方式のネットワークが利用不可能な場合、制御部１０３はその旨を待ち受けモード通知部１０４を介して利用者に通知すると共に、ＧＳＭ方式のネットワークへの位置登録状態を継続する。
【００５６】
このように、第１実施形態のマルチモード無線通信装置１０によれば、利用者が現在待ち受けているモードと異なるモードで待ち受けたい場合、待ち受けモード切替操作部１０５を用いて待ち受けモード切り替え操作を行うことにより、簡単な操作でマルチモード無線通信装置１０の待ち受けモードを切り替えることができる。
【００５７】
（第２実施形態）
図２は、本発明の第２実施形態に係るマルチモード無線通信装置の外観構成を示した斜視図である。
【００５８】
第２実施形態のマルチモード無線通信装置２０は、回動可能なヒンジ部を有する２つ折りタイプの筐体により構成され、第１筐体である本体部２０１に対して第２筐体である蓋部２０２が回動可能に連結されている。本体部２０１の前面には、待ち受けモード切り替えのための専用キー２０５ａ（図中「Ｗ／Ｇ」で示される）が配置され、側面には待ち受けモード切り替えのための専用スイッチ２０５ｂが配置されている。なお、図２において、破線で示すように左側に専用キー２０５ａを拡大して示している。このマルチモード無線通信装置２０の回路構成は、図１に示した第１実施形態の構成と同様であるため、図示は省略する。
【００５９】
この第２実施形態は、操作部として設けられるキーの機能設定、及び制御部１０３の動作が第１実施形態と異なるものであり、第１実施形態における待ち受けモード切替操作部１０５の操作を専用キー２０５ａまたは専用スイッチ２０５ｂの操作に置き換え、制御部１０３が通信モードの切り替え操作であることを判断する操作条件を専用キー２０５ａまたは専用スイッチ２０５ｂの操作であるように設定したものである。
【００６０】
次に第２実施形態の動作について説明する。利用者がマルチモード無線通信装置２０の待ち受けモードを切り替えたい時、蓋部２０２が開いている状態では専用キー２０５ａを押下することにより、待ち受けモードを切り替えることができる。例えば、マルチモード無線通信装置２０がＷＣＤＭＡ方式で待ち受けている時に専用キー２０５ａか押下されると、制御部１０３は待ち受けモードをＧＳＭ方式へ切り替える操作入力があったと判断して、上述した第１実施形態と同様の待ち受けモード切り替え制御を行う。また、マルチモード無線通信装置２０がＧＳＭ方式で待ち受けている時に専用キー２０５ａが押下されると、制御部１０３は待ち受けモードをＷＣＤＭＡ方式へ切り替える操作入力があったと判断して、上述した第１実施形態と同様の待ち受けモード切り替え制御を行う。
【００６１】
一方、蓋部２０２が閉じている状態では、利用者は専用スイッチ２０５ｂを操作して待ち受けモードを切り替える。例えば、マルチモード無線通信装置２０がＷＣＤＭＡ方式で待ち受けている時に専用スイッチ２０５ｂがＧ側に操作されると、制御部１０３は待ち受けモードをＧＳＭ方式に切り替える操作入力があったと判断して、上述した第１実施形態と同様の待ち受けモード切り替え制御を行う。また、マルチモード無線通信装置２０がＧＳＭ方式で待ち受けている時に専用スイッチ２０５ｂがＷ側に操作されると、制御部１０３は待ち受けモードをＷＣＤＭＡ方式に切り替える操作入力があったと判断して、上述した第１実施形態と同様の待ち受けモード切り替え制御を行う。
【００６２】
この第２実施形態によれば、利用者が専用キー２０５ａ及び専用スイッチ２０５ｂを用いて待ち受けモード切り替え操作を行うことにより、第１実施形態と同様の作用効果が得られ、簡単な操作でマルチモード無線通信装置の待ち受けモードを切り替えることができる。なお、上記専用キー２０５ａ，専用スイッチ２０５ｂの配設位置は上記実施形態に限らず、マルチモード無線通信装置２０の筐体面のどの位置に備えていても良いし、更に、専用キー２０５ａ或いは、専用スイッチ２０５ｂのいずれか一方を備えていても良い。
【００６３】
（第３実施形態）
図３は、本発明の第３実施形態に係るマルチモード無線通信装置の外観構成を示した斜視図である。
【００６４】
第３実施形態のマルチモード無線通信装置３０は、図２に示した第２実施形態と同様、回動可能なヒンジ部を有する２つ折りタイプの筐体により構成され、第１筐体である本体部３０１に対して第２筐体である蓋部３０２が回動可能に連結されている。本体部３０１の前面には、通話開始と待ち受けモード切り替えのための兼用の通話開始キー３０５が配置されている。このマルチモード無線通信装置３０の回路構成は、図１に示した第１実施形態の構成と同様であるため、図示は省略する。
【００６５】
この第３実施形態は、操作部として設けられるキーの機能設定、及び制御部１０３の動作が第１実施形態と異なるものである。第１実施形態における待ち受けモード切替操作部１０５の操作を通話開始キー３０５による操作に置き換え、制御部１０３が通信モードの切り替え操作であることを判断する操作条件を、通話開始キー３０５を通常に比べて長い時間押下する操作、或いは２回連続で押下する動作など、通常の通話開始のための操作とは異なる特定の押下操作であるように設定したものである。
【００６６】
次に第３実施形態の動作について説明する。利用者がマルチモード無線通信装置３０の待ち受けモードを切り替えたい時、通話開始と待ち受けモード切り替えのための兼用の通話開始キー３０５を通常の操作時よりも長めに押下することにより、待ち受けモードを切り替えることができる。なお、兼用の通話開始キー３０５を短めに押下すると、通話開始指令が制御部１０３に入力されるものとする。
【００６７】
例えば、マルチモード無線通信装置３０がＷＣＤＭＡ方式で待ち受けている時に兼用の通話開始キー３０５が長めに押下されると、制御部１０３は待ち受けモードをＧＳＭ方式に切り替える操作入力があったと判断して、第１実施形態で説明した切り替え制御を行う。また、マルチモード無線通信装置３０がＧＳＭ方式で待ち受けている時に兼用の通話開始キー３０５が長めに押下されると、制御部１０３は待ち受けモードをＷＣＤＭＡ方式へ切り替える操作入力があったと判断して、上述した第１実施形態と同様の待ち受けモード切り替え制御を行う。
【００６８】
また、マルチモード無線通信装置３０がＧＳＭ方式で待ち受けている時に兼用の通話開始キー３０５が長めに押下されると、制御部１０３は待ち受けモードをＷＣＤＭＡ方式へ切り替える操作入力があったと判断して、上述した第１実施形態と同様の待ち受けモード切り替え制御を行う。
【００６９】
この第３実施形態によれば、利用者が兼用の通話開始キー３０５を用いて長めに押下する待ち受けモード切り替え操作を行うことにより、第１実施形態と同様の作用効果が得られ、簡単な操作でマルチモード無線通信装置の待ち受けモードを切り替えることができる。また第３実施形態では、特に待ち受けモード切り替え及び発呼に必要な操作手順を簡略化することができると共に、待ち受けモード切り替えのための専用のキーなどを増やすことなく、構成を複雑にせずに現行のキーの数で上記効果を得ることができる。
【００７０】
なお、待ち受けモードを切り替えてから発呼したい場合、通話相手先の電話番号を入力した後に、兼用の通話開始キー３０５を長く押すなどして待ち受けモード切り替え指令を入力することにより、待ち受けモードの切り替えと発呼を一括して行えるようにすることも可能である。
【００７１】
また、兼用の通話開始キー３０５は、待ち受けモードを切り替える場合と通話開始を行う場合とでは、上記実施形態の押下形態の他に連続で２回以上押下する操作など、何らかの方法で異なる押下形態を設定することにより、制御部１０３は両者を区別でき、キーを増加させることなく簡単な操作で待ち受けモードの切り替えと通話開始を行うことができる。
【００７２】
（第４実施形態）
図４は、本発明の第４実施形態に係るマルチモード無線通信装置の外観構成を示した斜視図である。
【００７３】
第４実施形態のマルチモード無線通信装置４０は、図２に示した第２実施形態と同様、回動可能なヒンジ部を有する２つ折りタイプの筐体により構成され、第１筐体である本体部４０１に対して第２筐体である蓋部４０２が回動可能に連結されている。本体部４０１の前面には、待ち受けモード切り替えのための既存の兼用キー４０５ａと既存の兼用の通話開始キー４０５ｂとが配置されている。このマルチモード無線通信装置４０の回路構成は、図１に示した第１実施形態の構成と同様であるため、図示は省略する。
【００７４】
この第４実施形態は、操作部として設けられるキーの機能設定、及び制御部１０３の動作が第１実施形態と異なるものであり、第１実施形態における待ち受けモード切替操作部１０５の操作を通話開始キー４０５ｂ及びこの通話開始キー４０５ｂ以外の特定の兼用キー４０５ａによる操作に置き換え、制御部１０３が通信モードの切り替え操作であることを判断する操作条件をこの兼用キー４０５ａと通話開始キー４０５ｂを同時に押下する操作であるように設定したものである。
【００７５】
次に第４実施形態の動作について説明する。利用者が通話開始キー４０５ｂを単独で押下すれば、通話開始指令が入力される。そして、利用者が待ち受けモード切り替えのための既存の兼用キー４０５ａと同時に通話開始キー４０５ｂを押下すれば、待ち受けモード切り替え指令が入力され、制御部１０３はマルチモード無線通信装置４０の現行の待ち受けモードを異なる待ち受けモード（ＷＣＤＭＡ方式或いはＧＳＭ方式）に切り替える。なお、兼用キー４０５ａまたは通話開始キー４０５ｂを単独で押下した場合は、既存の設定機能に対応するキーとして動作する。
【００７６】
この第４実施形態によれば、第３実施形態と同様に、新たにキーなどを増やすことなく、簡単な操作でマルチモード無線通信装置の待ち受けモードを切り替えることができる。
【００７７】
なお、第４実施形態では、通話開始キー４０５ｂの上に位置している既存のキーを待ち受けモード切り替えのための兼用キー４０５ａとしたが、通話開始キー以外のキーであればどの既存のキーを待ち受けモード切り替えのためのキーにしても良い。
【００７８】
また、待ち受けモードを切り替えてから発呼したい場合、通話相手先の電話番号を入力した後に、待ち受けモード切り替えのための兼用キー４０５ａと同時に通話開始キー４０５ｂを押下すれば、待ち受けモードの切り替えと発呼を一括して行うことができる。これにより、待ち受けモード切り替え及び発呼に必要な操作手順を簡略化することができる。
【００７９】
（第５実施形態）
図５は、本発明の第５実施形態に係るマルチモード無線通信装置の外観構成を示した斜視図である。
【００８０】
第５実施形態のマルチモード無線通信装置５０は、図２に示した第２実施形態と同様、回動可能なヒンジ部を有する２つ折りタイプの筐体により構成され、第１筐体である本体部５０１に対して第２筐体である蓋部５０２が回動可能に連結されている。本体部５０１の前面には、待ち受けモード切り替えと終話のための兼用の終話キー５０５が配置されている。このマルチモード無線通信装置５０の回路構成は、図１に示した第１実施形態の構成と同様であるため、図示は省略する。
【００８１】
この第５実施形態は、操作部として設けられるキーの機能設定、及び制御部１０３の動作が第１実施形態と異なるものである。第１実施形態における待ち受けモード切替操作部１０５の操作を終話キー５０５の操作に置き換え、制御部１０３が通信モードの切り替え操作であることを判断する操作条件を、非通話時において終話キー５０５を１回押下する操作、或いは非通話時において終話キー５０５を連続で２回以上押下する操作など、通常の電源断のための長押し操作とは異なる特定の押下操作であるように設定したものである。
【００８２】
よって第５実施形態は、待ち受けモード切り替えと終話のための兼用キーを通話開始キー３０５から終話キー５０５に置き換えて構成した以外は、図３に示した第３実施形態と同様である。
【００８３】
この第５実施形態によれば、第３実施形態と同様に、新たにキーなどを増やすことなく、簡単な操作でマルチモード無線通信装置の待ち受けモードを切り替えることができる。
【００８４】
（第６実施形態）
図６は、本発明の第６実施形態に係るマルチモード無線通信装置の外観構成を示した斜視図である。
【００８５】
第６実施形態のマルチモード無線通信装置６０は、図２に示した第２実施形態と同様、回動可能なヒンジ部を有する２つ折りタイプの筐体により構成され、第１筐体である本体部６０１に対して第２筐体である蓋部６０２が回動可能に連結されている。本体部６０１の前面には、待ち受けモード切り替えのための既存の兼用キー６０５ａと既存の兼用の終話キー６０５ｂとが配置されている。このマルチモード無線通信装置６０の回路構成は、図１に示した第１実施形態の構成と同様であるため、図示は省略する。
【００８６】
この第６実施形態は、操作部として設けられるキーの機能設定、及び制御部１０３の動作が第１実施形態と異なるものであり、第１実施形態における待ち受けモード切替操作部１０５の操作を終話キー６０５ｂ及びこの終話キー６０５ｂ以外の特定の兼用キー６０５ａによる操作に置き換え、制御部１０３が通信モードの切り替え操作であることを判断する操作条件をこの兼用キー６０５ａと終話キー６０５ｂを同時に押下する操作であるように設定したものである。
【００８７】
よって第６実施形態は、待ち受けモード切り替えのための兼用キーと同時に押下操作するキーを通話開始キー４０５ｂから終話キー６０５ｂに置き換えて構成した以外は、図４に示した第４実施形態と同様である。この場合、待ち受けモード切り替えのための兼用キー６０５ａと兼用の終話キー６０５ｂとを同時に押すことにより、待ち受けモード切り替え指令を入力することができる。
【００８８】
この第６実施形態によれば、第４実施形態と同様に、新たにキーなどを増やすことなく、簡単な操作でマルチモード無線通信装置の待ち受けモードを切り替えることができる。
【００８９】
なお、第６実施形態では、終話キー６０５ｂの上部に位置しているキーを待ち受けモード切り替えのための兼用のキー６０５ａとしているが、終話キー６０５ｂ以外のキーであればどのキーでも良く、数字キーなどの他のキーを待ち受けモード切り替えのための兼用キーにしても良い。
【００９０】
（第７実施形態）
図７は、本発明の第７実施形態に係るマルチモード無線通信装置の外観構成を示した斜視図である。
【００９１】
第７実施形態のマルチモード無線通信装置７０は、図２に示した第２実施形態と同様、回動可能なヒンジ部を有する２つ折りタイプの筐体により構成され、第１筐体である本体部７０１に対して第２筐体である蓋部７０２が回動可能に連結されている。本体部７０１の前面には待ち受けモードをＷＣＤＭＡ方式に切り替えるための専用のキー７０５ａ（図中「Ｗ」で示される）及びＧＳＭ方式に切り替えるための専用のキー７０５ｂ（図中「Ｇ」で示される）が配置されている。このマルチモード無線通信装置７０の回路構成は、図１に示した第１実施形態の構成と同様であるため、図示は省略する。
【００９２】
この第７実施形態は、操作部として設けられるキーの機能設定、及び制御部１０３の動作が第１実施形態と異なるものであり、第１実施形態における待ち受けモード切替操作部１０５の操作を専用のキー７０５ａ及びキー７０５ｂによる操作に置き換え、制御部１０３が通信モードの切り替え操作であることを判断する操作条件として、キー７０５ａの操作をＷＣＤＭＡ方式に切り替えるための条件に、キー７０５ｂの操作をＧＳＭ方式に切り替えるための条件に設定したものである。
【００９３】
第７実施形態では、マルチモード無線通信装置７０の待ち受けモードをＷＣＤＭＡ方式に切り替えるためにはキー７０５ａを押下し、ＧＳＭ方式に切り替えるためにはキー７０５ｂを押下することで、待ち受けモードの無線通信方式を切り替えられる。したがって、利用者が専用キー７０５ａ及び７０５ｂを用いて待ち受けモード切り替え操作を行うことにより、第１実施形態と同様の作用効果が得られ、簡単かつ利用者がわかりやすい操作でマルチモード無線通信装置の待ち受けモードを切り替えることができる。
【００９４】
（第８実施形態）
図８は、本発明の第８実施形態に係るマルチモード無線通信装置の外観構成を示した斜視図である。
【００９５】
第８実施形態のマルチモード無線通信装置８０は、図２に示した第２実施形態と同様、回動可能なヒンジ部を有する２つ折りタイプの筐体により構成され、第１筐体である本体部８０１に対して第２筐体である蓋部８０２が回動可能に連結されている。本体部８０１の前面には、待ち受けモードをＷＣＤＭＡ方式に切り替えるためと通話を開始するための兼用の第１の通話開始キー８０５ａと、待ち受けモードをＧＳＭ方式に切り替えるためと通話を開始するための兼用の第２の通話開始キー８０５ｂとが配置されている。即ち、マルチモード無線通信装置８０は２つの兼用の通話開始キー８０５ａ、８０５ｂを備える。このマルチモード無線通信装置８０の回路構成は、図１に示した第１実施形態の構成と同様であるため、図示は省略する。
【００９６】
この第８実施形態は、操作部として設けられるキーの機能設定、及び制御部１０３の動作が第１実施形態と異なるものである。第１実施形態における待ち受けモード切替操作部１０５の操作を第１の通話開始キー８０５ａ及び第２の通話開始キー８０５ｂによる操作に置き換え、制御部１０３が通信モードの切り替え操作であることを判断する操作条件として、第１の通話開始キー８０５ａを通常に比べて長い時間押下する操作、或いは２回連続で押下する動作など、通常の通話開始のための操作とは異なる特定の押下操作をＷＣＤＭＡ方式に切り替えるための条件に、第２の通話開始キー８０５ｂを通常に比べて長い時間押下する操作、或いは２回連続で押下する動作など、通常の通話開始のための操作とは異なる特定の押下操作をＧＳＭ方式に切り替えるための条件に設定したものである。
【００９７】
次に第８実施形態の動作について説明する。マルチモード無線通信装置８０の待ち受けモードをＷＣＤＭＡ方式に切り替えるためには、兼用の第１の通話開始キー８０５ａを長めに押下するとＷＣＤＭＡ方式への切り替え指令が制御部１０３に入力される。一方、ＧＳＭ方式に切り替えるためには、兼用の第２の通話開始キー８０５ｂを長めに押下するとＧＳＭ方式への切り替え指令が制御部１０３に入力される。このため、制御部１０３はマルチモード無線通信装置８０の待ち受けモードを第１実施形態と同様の動作により、押下されたキーに応じて切り替えることができる。なお、兼用の第１通話開始ーキー８０５ａ及び第２の通話開始ーキー８０５ｂは、短めに押下した場合、いずれも通話開始指令が制御部１０３に入力されるものとする。
【００９８】
この第８実施形態によれば、各モードに対応する待ち受けモード切り替えのための専用のキーが増えるものの、通話開始キーと兼用であるため、キーの増加数を抑えつつ、利用者が簡単かつ分かり易い操作で待ち受けモードを切り替えることができる。また、利用者が発呼して通話する時に、現在の待ち受けモードと異なるモードで通話したい場合、第１または第２の通話開始キー８０５ａ，８０５ｂの操作だけで、簡単に待ち受けモードを切り替えた上で発呼することができる。
【００９９】
なお、上記兼用の第１、第２の通話開始キー８０５ａ，８０５ｂは、待ち受けモードを切り替える場合と、通話開始を行う場合とでは、上記実施形態の押下形態の他に連続で２回以上押下する操作など、何らかの方法で異なる押下形態を設定することにより、制御部１０３は両者を区別でき、キーを増加させることなく簡単な操作で待ち受けモードの切り替えと通話開始を行うことができる。
【０１００】
また、通話相手先の電話番号を入力した後に、第１の通話開始キー８０５ａを操作することで、ＷＣＤＭＡ方式への待ち受けモードの切り替えと発呼を一括して行うことができる。一方、通話相手先の電話番号を入力した後に、第２の通話開始キー８０５ｂを操作することで、ＧＳＭ方式への待ち受けモードの切り替えと発呼を一括して行うことができる。
【０１０１】
（第９実施形態）
図９は、本発明の第９実施形態に係るマルチモード無線通信装置の外観構成を示した斜視図である。
【０１０２】
第９実施形態のマルチモード無線通信装置９０は、図２に示した第２実施形態と同様、回動可能なヒンジ部を有する２つ折りタイプの筐体により構成され、第１筐体である本体部９０１に対して第２筐体である蓋部９０２が回動可能に連結されている。本体部９０１の前面下部には、音声入力手段であるマイク９０５が配置されている。なお、マイク９０５は通話用マイクと兼用であっても良い。
【０１０３】
図１０は、図９に示した第９実施形態のマルチモード無線通信装置の回路構成を示したブロック図である。
【０１０４】
マルチモード無線通信装置９０は、ＷＣＤＭＡ方式に対応する第１無線部９１と、ＧＳＭ方式に対応する第２無線部９２と、待ち受けモードを通知する待ち受けモード通知部９４と、音声入力手段であるマイク９０５と、マイク９０５に入力された音声信号の認識を行う音声認識部９６と、音声認識部９６の認識結果によって第１無線部９１と第２無線部９２を制御して待ち受けモードを切り替え、またこの待ち受けモードの切り替えに応じて待ち受けモード通知部９４を制御する制御部９３とを有して構成される。音声認識部９６は、マイク９０５から入力された音声コマンドを認識して、制御部９３を動作させるモード切り替え指令信号に変換する。
【０１０５】
この第９実施形態は、第１実施形態における待ち受けモード切替操作部１０５の操作を音声入力手段であるマイク９０５への音声入力に置き換え、制御部９３が通信モードの切り替え操作であることを判断する操作条件をマイク９０５に入力する音声コマンドによって設定したものである。例えば、現在の待ち受けモードと異なるモードに切り替えるための音声コマンドを「モード切り替え」、ＷＣＤＭＡ方式に切り替えるための音声コマンドを「ＷＣＤＭＡ」、ＧＳＭ方式に切り替えるための音声コマンドを「ＧＳＭ」とする。
【０１０６】
次に第９実施形態の動作について説明する。利用者は待ち受けモードをＷＣＤＭＡ方式に切り替えたい時、マイク９０５に向かって「ＷＣＤＭＡ」と音声入力する。この音声信号は制御部９３を介して音声認識部９６に送られて音声認識され、ＷＣＤＭＡ方式に待ち受けモードを切り替える指令信号に変換されて、制御部９３に入力される。これにより、制御部９３は待ち受けモードをＷＣＤＭＡ方式に切り替える。
【０１０７】
また、利用者は待ち受けモードをＧＳＭ方式に切り替えたい時、マイク９０５に向かって「ＧＳＭ」と音声入力する。この音声信号は制御部９３を介して音声認識部９６に送られて音声認識され、ＧＳＭ方式に待ち受けモードを切り替える指令信号に変換されて、制御部９３に入力される。これにより、制御部９３は待ち受けモードをＧＳＭ方式に切り替える。
【０１０８】
また、待ち受けモードを切り替えてから発呼したい場合、マイク９０５を用いて通話相手先の電話番号を音声入力した後に、「ＷＣＤＭＡ」と音声入力することで、ＷＣＤＭＡ方式への待ち受けモードの切り替えと発呼を一括して行うことができる。同様に、音声入力手段９０５を用いて通話相手先の電話番号を音声入力した後に、「ＧＳＭ」と音声入力することで、ＧＳＭ方式への待ち受けモードの切り替えと発呼を一括して行うことができる。なお、通話相手先の電話番号はテンキーを用いて入力しても良い。
【０１０９】
この第９実施形態によれば、利用者はキー操作をすることなく、音声入力によりマルチモード無線通信装置９０の待ち受けモードを極めて簡単に切り替えることができる。また、マルチモード無線通信装置９０のキーを増加させることなく容易に待ち受けモードを切り替えることができる。更に、利用者が発呼して通話する時に、現在の待ち受けモードと異なるモードで通話したい場合、必要な音声指示の数を１つ削減することができ、簡単に待ち受けモードを切り替えた上で発呼することができる。
【０１１０】
なお、待ち受けモード切り替えのための音声コマンドについては、上記の音声コマンドに限らず、利用者が覚えやすいものや発声しやすいものならばどのようなものでも良い。また、利用者が切り替えのための音声コマンドを自分で設定するようにしても良い。
【０１１１】
（第１０実施形態）
図１１は、本発明の第１０実施形態に係るマルチモード無線通信装置の外観構成を示した斜視図である。
【０１１２】
第１０実施形態のマルチモード無線通信装置１００は、回動可能なヒンジ部１００５によるヒンジ機構を有する２つ折りタイプの筐体により構成され、第１筐体である本体部１００１に対して第２筐体である蓋部１００２がヒンジ部１００５を介して回動可能に連結されている。このヒンジ部１００５は、ヒンジ部１００５の開閉角度を計測するセンサ（図示せず）を内蔵し、待ち受けモード切り替えのための操作手段を構成している。このマルチモード無線通信装置１００の回路構成は、図１に示した第１実施形態の構成と同様であるため、図示は省略する。
【０１１３】
この第１０実施形態は、第１実施形態における待ち受けモード切替操作部１０５の操作をヒンジ部１００５による筐体の開閉操作に置き換え、制御部１０３が通信モードの切り替え操作であることを判断する操作条件をヒンジ部１００５の開閉角度（本体部１００１と蓋部１００２がなす角度）により設定したものである。
【０１１４】
例えば、ヒンジ部１００５の開閉角度が所定角度より大きい場合はＷＣＤＭＡ方式の待ち受けモードに切り替え、所定角度より小さい場合はＧＳＭ方式の待ち受けモードに切り替えるように設定する。
【０１１５】
この第１０実施形態によれば、利用者はヒンジ部１００５の開閉角度を操作することにより、例えば開閉角度を大きくしてＷＣＤＭＡ方式に切り替えたり、小さくしてＧＳＭ方式に切り換えることができる。したがって、ヒンジ部１００５の開閉操作によって容易に待ち受けモードの切り替えを行うことができる。
【０１１６】
（第１１実施形態）
図１２は、本発明の第１１実施形態に係るマルチモード無線通信装置の外観構成を示した斜視図である。
【０１１７】
第１１実施形態のマルチモード無線通信装置１１０は、摺動可能なスライド式の筐体により構成され、本体部１１０１に対してスライド部１１０５がスライドし、筐体が伸縮する構造になっている。スライド部１１０５は、筐体のスライド量を計測するセンサ（図示せず）を内蔵し、待ち受けモード切り替えのための操作手段を構成している。このマルチモード無線通信装置１１０の回路構成は、図１に示した第１実施形態の構成と同様であるため、図示は省略する。
【０１１８】
この第１１実施形態は、第１実施形態における待ち受けモード切替操作部１０５の操作をスライド部１１０５による筐体のスライド操作に置き換え、制御部１０３が通信モードの切り替え操作であることを判断する操作条件をスライド部１１０５のスライド量により設定したものである。
【０１１９】
例えば、スライド部１１０５のスライド量が所定量より大きい場合はＷＣＤＭＡ方式の待ち受けモードに切り替え、所定量より小さい場合はＧＳＭ方式の待ち受けモードに切り替えるように設定する。
【０１２０】
この第１１実施形態によれば、利用者はスライド部１１０５のスライド量を操作することにより、例えばスライド量を大きくしてＷＣＤＭＡ方式に切り替えたり、小さくしてＧＳＭ方式に切り換えることができる。したがって、スライド部１１０５のスライド操作によって容易に待ち受けモードの切り替えを行うことができる。
【０１２１】
（第１２実施形態）
図１３は、本発明の第１２実施形態に係るマルチモード無線通信装置の外観構成を示した斜視図である。
【０１２２】
第１２実施形態のマルチモード無線通信装置１２０は、図２に示した第２実施形態と同様、回動可能なヒンジ部を有する２つ折りタイプの筐体により構成され、第１筐体である本体部１２０１に対して第２筐体である蓋部１２０２が回動可能に連結されている。蓋部１２０２の先端部の側面（先端端面部）には、伸縮機構によって伸縮自在のアンテナ１２０５が取り付けられている。このアンテナ１２０５は、伸縮の状態を計測できるセンサ（図示せず）を内蔵し、待ち受けモード切り替えのための操作手段を構成している。このマルチモード無線通信装置１２０の回路構成は、図１に示した第１実施形態の構成と同様であるため、図示は省略する。
【０１２３】
この第１２実施形態は、第１実施形態における待ち受けモード切替操作部１０５の操作をアンテナ１２０５の伸縮操作に置き換え、制御部１０３が通信モードの切り替え操作であることを判断する操作条件をアンテナ１２０５の伸縮状態により設定したものである。
【０１２４】
例えば、アンテナ１２０５の伸長量が所定量より大きい場合はＷＣＤＭＡ方式の待ち受けモードに切り替え、所定量より小さい場合はＧＳＭ方式の待ち受けモードに切り替えるように設定する。
【０１２５】
この第１２実施形態によれば、利用者はアンテナ１２０５の伸長量を操作することにより、例えば伸長量を大きくしてＷＣＤＭＡ方式に切り替えたり、小さくしてＧＳＭ方式に切り換えることができる。したがって、アンテナ１２０５の伸長操作によって容易に待ち受けモードの切り替えを行うことができる。
【０１２６】
なお、アンテナ１２０５の伸縮状態の代わりに、アンテナ１２０５の回転状態を検出できるように構成して、アンテナ１２０５の回転状態を待ち受けモードの切り替え操作に用いても同様の効果がある。
【０１２７】
（第１３実施形態）
図１４は、本発明の第１３実施形態に係るマルチモード無線通信装置の回路構成を示したブロック図である。
【０１２８】
マルチモード無線通信装置１３０は、ＷＣＤＭＡ方式に対応する第１無線部１３０１と、ＧＳＭ方式に対応する第２無線部１３０２と、待ち受けモードを通知する待ち受けモード通知部１３０４と、使用者による待ち受けモードの切替操作入力を行う待ち受けモード切替操作部１３０５と、通常の通信操作或いは各種設定などを行うためのキー若しくは音声入力手段などからなる入力部１３０６と、発呼時の通話モードを設定する発呼時通話モード設定部１３０７とを有して構成される。
【０１２９】
なお、制御部１３０３はＣＰＵまたはＤＳＰ、記憶素子などからなり、その基本動作はソフトウェアで変更可能なように構成されている。また、待ち受けモード切替操作部１３０５は入力部１３０６の一部であっても良いし、また、発呼時通話モード設定部１３０７は制御部１３０３の一部であっても良い。
【０１３０】
次に第１３実施形態の動作について説明する。制御部１３０３は、待ち受けモード切替操作部１３０５から入力された操作内容を読み取り、その操作内容が待ち受けモードの切り替え操作であると判断すると、第１無線部１３０１または第２無線部１３０２を制御して、操作指示された待ち受けモードにマルチモード無線通信装置１３０を切り替える。そして、待ち受けモード切り替え結果などを待ち受けモード通知部１３０４に通知する。また、制御部１３０３は利用者が入力部１３０６から入力した発呼時の通話モードを発呼時通話モード設定部１３０７に記憶する。
【０１３１】
次に第１３実施形態のマルチモード無線通信装置１３０の発呼モード切り替え動作について説明する。図１５は第１３実施形態のマルチモード無線通信装置における発呼モード切り替え手順を示すフローチャートである。利用者は、事前に入力部１３０６を用いた入力操作により発呼時の通話モードをＷＣＤＭＡ方式に設定するかＧＳＭ方式に設定するか、或いはどちらにも設定しないかを選択する。この選択に基づき、制御部１３０３は選択された設定内容を発呼時通話モード設定部１３０７に記憶する（ステップＳ１４０１）。
【０１３２】
ここで、上記した発呼時通話モード設定は一度設定しておけば利用者が変更するまでその設定内容が保存される。利用者がこの発呼時通話モード設定を行わない場合は、製品出荷時の標準の状態が利用される。製品出荷時にはいずれかの方式に設定されていても良いし、特に設定されていなくても良い。
【０１３３】
その後、利用者が入力部１３０６より通話開始操作を行うと（ステップＳ１４０２）、制御部１３０３は発呼時通話モード設定部１３０７をチェックし、発呼時通話モードがどの方式に設定されているかどうか或いは、何も設定されていないのかを判断する（ステップＳ１４０３）。
【０１３４】
この発呼時通話モードの判別結果に応じて、発呼時通話モードがいずれかの方式に設定されている場合は、制御部１３０３は設定されている発呼時通話モードと現在の待ち受けモードとが等しいかどうか判断する（ステップＳ１４０４）。ここで、発呼時通話モードと現在の待ち受けモードとが等しくない場合は、制御部１３０３は第１無線部１３０１若しくは第２無線部１３０２からの情報に基づき、現在の位置で発呼時通話モードとして設定されている無線通信方式のネットワークが利用可能かどうかを判断する（ステップＳ１４０５）。そして、設定されている発呼時通話モードの無線通信方式が使用可能な場合は、制御部１３０３は第１無線部１３０１と第２無線部１３０２を制御して当該マルチモード無線通信装置の端末の位置登録先ネットワークを設定されている発呼時通話モードに切り替える（ステップＳ１４０６）。
【０１３５】
その後、制御部１３０３は発呼動作を開始する（ステップＳ１４０７）。また、上記ステップＳ１４０３で発呼時通話モードが何も設定されていない場合、上記ステップＳ１４０４で設定されている発呼時通話モードと現在の待ち受けモードとが等しい場合、及び上記ステップＳ１４０５で設定されている発呼時通話モードの無線通信方式が使用できない場合は、ステップＳ１４０７に進んで発呼動作を行う。
【０１３６】
この第１３実施形態によれば、事前に発呼時通話モードを設定しておくことにより、特に発呼時に待ち受けモード切り替えのための操作を行わなくても、利用者が通話に用いたい無線通信方式が利用可能な場合はその方式で通話を開始することができる。また、マルチモード無線通信装置の端末を販売する無線通信事業者が、周波数利用効率の面などから推奨したいモードを製品出荷時の標準の発呼時通話モードとして設定することができる。
【０１３７】
なお、本発明は上述した実施形態に何ら限定されるものではなく、その要旨を逸脱しない範囲において種々の態様で実施し得るものである。上記第１〜第１２実施形態では待ち受けモードの切り替えについて説明したが、これらの構成は発呼モード切り替えについてもそのままて適用でき、同様の効果が得られる。
【０１３８】
【発明の効果】
以上説明したように本発明によれば、複数の通信方式を選択可能なエリアにおいて、利用者の簡単な操作により待ち受けモード若しくは発呼時通話モードを所望の通信モードに切り替えることが可能なマルチモード無線通信装置を提供できる。
【図面の簡単な説明】
【図１】本発明の第１実施形態に係るマルチモード無線通信装置の回路構成を示したブロック図
【図２】本発明の第２実施形態に係るマルチモード無線通信装置の外観構成を示した斜視図
【図３】本発明の第３実施形態に係るマルチモード無線通信装置の外観構成を示した斜視図
【図４】本発明の第４実施形態に係るマルチモード無線通信装置の外観構成を示した斜視図
【図５】本発明の第５実施形態に係るマルチモード無線通信装置の外観構成を示した斜視図
【図６】本発明の第６実施形態に係るマルチモード無線通信装置の外観構成を示した斜視図
【図７】本発明の第７実施形態に係るマルチモード無線通信装置の外観構成を示した斜視図
【図８】本発明の第８実施形態に係るマルチモード無線通信装置の外観構成を示した斜視図
【図９】本発明の第９実施形態に係るマルチモード無線通信装置の外観構成を示した斜視図
【図１０】図９に示した第９実施形態のマルチモード無線通信装置の回路構成を示したブロック図
【図１１】本発明の第１０実施形態に係るマルチモード無線通信装置の外観構成を示した斜視図
【図１２】本発明の第１１実施形態に係るマルチモード無線通信装置の外観構成を示した斜視図
【図１３】本発明の第１２実施形態に係るマルチモード無線通信装置の外観構成を示した斜視図
【図１４】本発明の第１３実施形態に係るマルチモード無線通信装置の回路構成を示したブロック図
【図１５】第１３実施形態のマルチモード無線通信装置における発呼モード切り替え手順を示すフローチャート
【符号の説明】
１０、２０、３０、４０、５０、６０、７０、８０、９０、１００、１１０、１２０、１３０  マルチモード無線通信装置
９１、１０１、１３０１  第１無線部
９２、１０２、１３０２  第２無線部
９３、１０３、１３０３  制御部
９４、１０４、１３０４  待ち受けモード通知部
９５、１０５、１３０５  待ち受けモード切替操作部
９６  音声認識部
２０１、３０１、４０１、５０１、６０１、７０１、８０１、９０１、１００１、１１０１  本体部
２０２、３０２、４０２、５０２、６０２、７０２、８０２、９０２、１００２  蓋部
２０５ａ  待ち受けモード切替専用キー
２０５ｂ  待ち受けモード切替専用スイッチ
３０５  兼用の通話開始キー
４０５ａ  通話開始キー以外の既存の兼用のキー
４０５ｂ  兼用の通話開始キー
５０５  兼用の終話キー
６０５ａ  終話キー以外の既存の兼用のキー
６０５ｂ  兼用の終話キー
７０５ａ  ＷＣＤＭＡ方式への切替キー
７０５ｂ  ＧＳＭ方式への切替キー
８０５ａ  兼用の第１通話開始キー
８０５ｂ  兼用の第２通話開始キー
９０５  マイク（音声入力手段）
１００５  ヒンジ部
１１０５  スライド部
１２０５  アンテナ部
１３０６  入力部
１３０７  発呼時通話モード設定部
【図１】
2004289421.tif 000003
【図２】
2004289421.tif 000004
【図３】
2004289421.tif 000005
【図４】
2004289421.tif 000006
【図５】
2004289421.tif 000007
【図６】
2004289421.tif 000008
【図７】
2004289421.tif 000009
【図８】
2004289421.tif 000010
【図９】
2004289421.tif 000011
【図１０】
2004289421.tif 000012
【図１１】
2004289421.tif 000013
【図１２】
2004289421.tif 000014
【図１３】
2004289421.tif 000015
【図１４】
2004289421.tif 000016
【図１５】
2004289421.tif 000017